(57)【特許請求の範囲】
【請求項１】
工具を固定取り付けするためにスピンドル軸（１）内を軸方向に変位可能な可動プルロッド（３）を有する工具スピンドル装置において、
前記プルロッドが、プルロッド（３）の軸方向変位に対し固定された少なくとも１個のスプール（９）、それもスプール（９）内のプルロッド（３）の軸方向位置に応じて異なる比電流を発生させるスプールにより取り囲まれ、これによりスピンドル軸（１）の形式での工具スピンドル回転部分（１，３）、または該回転部分から突出した、プルロッド（３）の端部（１０）が、工具とは反対側の工具スピンドル端部に配置された定置ユニット（４）内に収容され、かつまた該プルロッドが軸方向孔（６）を有し、
前記定置ユニット（４）が、圧力下で軸方向孔（６）に冷却流体を導入する入口を備え、
前記回転部分（１，３）と定置ユニット（４）間に、入口に隣接して間隙シールが設けられ、間隙シールを介して流体の漏れが可能であることを特徴とする、工具スピンドル装置。
【請求項２】
工具と反対側の、プルロッド（３）の端部がスプール（９）内に位置することを特徴とする、請求項１に記載された装置。
【請求項３】
前記スプール（９）から発せられる位置に関係する情報が、スピンドルユニットから他のユニットへ光学的な伝送により伝送され、干渉に対する感受性が低減されることを特徴とする、請求項１または請求項２に記載された装置。
【請求項４】
出口（８）が、軸方向に間隙シールをへて漏れる流体を排出するため、定置ユニット（４）内に設けられ、
入口（７）が、出口（８）を支配する圧力より高い圧力で気体を導入するため、定置ユニット（４）内の、入口とは反対の出口（８）の側に設けられていることを特徴とする、請求項１から請求項３までのいずれか１項に記載された装置。
【請求項５】
前記気体が空気であることを特徴とする、請求項４に記載された装置。
【発明の詳細な説明】
【０００１】
本発明は、工具をスピンドルのスピンドル軸に固定取り付けするためのプルロッド、それもスピンドル内を軸方向に変位可能であることにより、極めて高速回転時にも工具スピンドルの機能を単純かつ確実にするプルロッドを備えた全く新規な工具スピンドルに関するものである。本発明は、特許請求の範囲の特徴部分に記載された点を特徴とし、以下で図面につき実施例形式で詳細に説明される。
（本発明による工具スピンドルの一般説明）
回転スピンドル軸は符号１で示され、図１に示した実施例は、符号２で示す２つの玉軸受で支えられるか、または２つの流体軸受２４（図５）で支えられている。軸方向に変位可能なプルロッド３は、スピンドル軸の中心に延在している。自体公知の形式で、かつまた詳細には図示されていない形式で、工具（図示せず）が、スピンドル軸内を軸方向に変位可能なプルロッド３に取り付けられることで、スピンドル軸１のところに相対的に不動に取り付け可能である。工具と反対側のスピンドル軸１の端部では、プルロッド３が、スピンドル１の回転に対し固定されているユニット４内へ延びている。
【０００２】
（工具の冷却）
符号５で示す冷却剤用の接続部が、定置ユニット４の中心に設けられており、該接続部にはチューブまたはホースが接続され、該チューブまたはホースを介して、冷却剤、例えば乳剤が、圧力下でプルロッド３の中心孔６内をポンプ給送される。冷却剤は、工具との接続部のところでプルロッドから出て、周知の形式で工具先端を冷却する。冷却剤は、前述のように、圧力下で供給される。これが、圧力下の流体の存在する区域、つまり中心孔６の入口前方の区域から、定置ユニット４と回転可能のプルロッド３との間隙を介して、冷却剤供給圧より低圧の第１出口に冷却剤（流体）が漏出する理由である。間隙シールを形成する前記間隙は、圧力降下を生じさせ、それによりシール効果が発生する。この間隙は小さいので、冷却剤の全流量のうちの僅かの量が通過するに過ぎない。プルロッド３の回転中、間隙内の流体は、動的流体軸受として機能し、回転するプルロッド３に対する半径方向の安定力を形成する。この流体は、また動的流体軸受内に発生する摩擦熱を除去する。流体が出口８に到達した場合に、流体がプルロッド３と定置ユニット４とに沿った間隙に逃げないように、気体、例えば空気（阻止空気）が、定置ユニット４内の半径方向平面内に分配された入口７から圧入される。その結果、この気体（空気）も、より低圧圧の区域のほうへ逃げ、流体の漏れに抗し、出口８へ向かう。これにより、出口８に達した気体と流体は、定置ユニット４から通路系（図示せず）を介して排出される。これと関連して、入口７と、工具スピンドルに含まれるその他の開口のそれぞれとが、間隙シールにより軸方向にどの側もが仕切られていることを指摘しておかねばならない。
【０００３】
前記間隙シールにより、次のことが実現される。すなわち、
１．高速回転時に、構成部材の摩耗なしに発揮されるシール機能、
２．半径方向の安定力をプルロッド３に与える動的軸受、
３．動的軸受内に発生する摩擦熱の除去、
４．異なる種類の流体の相互混合の防止、
５．シールからの漏れを各ポンプへ還流させる措置。
【０００４】
（連結ロッドの軸方向位置検出用のセンサ）
既述のように、工具はスピンドルにプルロッド３の助けを借りて固定取り付けされている。プルロッド３をスピンドル内へ引き込むと、工具がスピンドルにロックされる。工具を外すには、プルロッド３を一定距離だけ押し出せば、取り外すことができる。回転中、スピンドル軸から工具が外れるようなことがあれば、重大な損傷や事故が起こる恐れがある。したがって、工具がスピンドル軸に正しい仕方で固定取り付けされることが、極めて重要である。しかし、それがこれまでは実現が難しかった。
【０００５】
本発明によれば、図２に示すように、プルロッド３の軸方向位置を検出し、工具がスピンドル軸に正しく取り付けられてるかどうかを確認することができる。この目的にために、定置ユニット４がスプール９を備え、該スプール内にプルロッド３の端部が開口し、図では定置ユニット４内へ延びている。スプール９は、プルロッド３の軸方向変位に対し固定されており、スプール９内のプルロッド３の軸方向位置に応じて異なる電流を発生する。スプール９内のプルロッド３の軸方向位置に依存する比電流により、十分な精度をもってプルロッド３の軸方向位置を検出できることで、工具交換が可能な場合、または工具がスピンドル軸に正しく取り付けられ、かつ使用できる場合に対し、限界値を設定することができる。周囲の影響による妨害に対する感受性を低減するために、プルロッド３の位置情報信号は、光ファイバーによりスピンドル外部のユニット、例えばコンピュータへ、または他の制御装置、例えば、実データ・ユニットがスピンドル軸内に存在する場合は、自体公知の技術によりアクセス可能な情報への変換装置へ送られる。これと関連して、スプール９は、原則としてどの位置でも、プルロッド３がその位置で有意な材料変更を行うかぎり、プルロッド３を取り囲むことができる。本発明の範囲内で、もとより１個以上のスプール９を使用することもできる。
【０００６】
（スピンドルへの工具の液圧式取り付けおよび取り外し）
図１は工具スピンドルを示し、この図から明らかな点は、プルロッド３がピストン１１と一体化されていることである。プルロッド３は、中心孔６に加えて、中心の周囲に分配された孔１２ａ，１２ｂ，１２ｃをも有している。ピストン１１は、スピンドル軸１内に設けられたシリンダチャンバ１３内を変位可能である。図３に示した位置は、プルロッド３がスピンドル軸１内へ引っ込められた位置であり、これにより工具（図示せず）は、しっかりと保持される。この位置にある場合に、工具を取り外すには、圧力下で液圧流体を定置ユニット４に入口１６から供給し、プルロッド３の少なくとも１つの、入口１６に隣接して開いている第１孔１２ａへ導入する。既述のように、入口７から供給される圧力下の気体は、左方へ（図で見て）も間隙シールを通過する経路を探して出口８′から流出する。この出口８′とその左側の間隙シールとにより、入口１６から供給される液圧流体の加圧区域は、流体が気体（阻止空気）と共に出口８′をへて定置ユニット４から流出するため、限定される。液圧流体は、孔１２ａをへて、ピストン１１の右側（図１で見て）のシリンダチャンバ１３へ導入され、ピストン１１を左方へ移動させる。プルロッド３は、このため左方へ変位し、工具を取り外すことができる。
【０００７】
少なくとも１つの孔１２ｂは、入口１６との関連で先に挙げた孔とは異なり、入口１６に隣接する端部が閉じられており（図２）、１個以上の開口１４′を備えている。開口１４′は、半径方向平面内に周方向に分配され、かつ定置ユニット４の入口１４と常時連通する位置に設けられている。入口１４は、半径方向平面内に分配され、入口１６とは間隙シール１４″により軸方向で分離されている。圧力下の液圧流体は、入口１４に供給され（もちろん、それにより入口１６が圧力下におかれることはない）、第２孔１２ｂを経て、ピストン１１の左側（図２で見て）のシリンダチャンバ１３内へ圧入され、それによりプルロッド３が右方へ変位し、工具が締結される。プルロッド３は、この位置に、ピストン１１の左側に連続的に作用する圧縮液圧流体により維持される。冷却液との関連で既に述べたように、液圧流体は、また定置ユニット４とプルロッド３との間隙シール内へ、図で見て左右両側へ漏出する。入口１４から供給される圧縮液圧流体は、その左側（図２）が間隙シールや出口１８または大気圧を有する通路により制限され、間隙シールの右側は間隙シールに加えて入口１６により制限されるが、入口１６は、既述のように、この場合は、圧力下にはない。また圧縮空気（阻止空気）が、定置ユニット４の、半径方向平面内に分配された入口１７から供給され、この圧縮空気も、更に左方（図で見て）への液圧流体の漏れを防止し、液圧流体の漏れと一緒に出口１８をへて定置ユニット４から排出される。入口１７からスピンドル本体内への圧縮空気の漏れを低減または防止するために、より低圧（大気圧）の出口１９が、入口１７の左側に設けられている。
【０００８】
第１孔１２ａは入口１７のところに開いており、ピストン１１の右側に開いており、他方、第２孔１２ｂは、開口１４′を備え、入口１６に隣接する端部が密封され、ピストン１１の左側でシリンダチャンバ１３に開口している。
流体軸受を使用する場合は（図５参照）、スピンドルは、図示の設計を有しており、液圧流体は、圧力下で入口１６と第１孔１２ａとを経て供給され、工具が取り外される。工具を固定取り付けするためには、第２孔１２ｂが入口１４を介して圧力下におかれ、ピストン１１を図で見て右方へ変位させる。こうすることで、ピストン１１の右側に存在する液圧流体が第１孔１２ａをへて、いまや圧力降下した入口１６から排出される。工具を取り外す場合は、逆のことが行われ、液圧流体が、いまや圧力降下した入口１４から排出される。
【０００９】
（回転子との接続部でのスピンドル冷却）
工具（図示せず）は、既述のように、工具スピンドル内へのプルロッド３の変位により固定取り付けされる。この取り付けは、図２に示すように、圧力下の液圧流体が、定置ユニット４の入口１４から第２孔１２ｂを介してピストン工具側のシリンダチャンバ１３へ供給される圧力下の液圧流体によって行われる。スピンドル軸１は、図示のように、周方向に分配された幾つかの軸方向孔２０ａ，２０ｂ、例えば１２の通路（図６）を備えており、これらの通路がシリンダチャンバ１３に開口している。これら１２通路のうち６通路２０ｂは、シリンダチャンバ１３内の圧力維持用および通路２０ａ内の目標流量制御用に、シリンダチャンバ１３との接続部に狭窄部２１を有している。これら通路は、狭窄部２１とは反対側の端部が、他の６通路と接続されており、これらの通路はシリンダチャンバ１３の側の端部２１′が密閉されている。その代わり、これらの６通路２０ａは、この条件下では不作用のプルロッド３の第１孔１２ａに開口し、液圧流体を工具が取り付けられている間は不作用の入口１６から排出する。
【００１０】
工具が取り付けられており、したがって圧縮流体がピストン１１の左側に作用している限り、流体の一部は、狭窄部２１からスピンドル軸１内の通路２０ｂをへて、通路２０ａと第１孔１２ａを通過し、不作用状態の入口１６から流出し、それによりスピンドル軸とスピンドル１の外側に配置された回転子２２とを冷却する。回転子２２は、スピンドル駆動用のモータの一部をなしている。工具が取り外され、プルロッド３が図面で見て左方へ変位している間、液圧流体は、流れ方向を変更し、同じようにスピンドル１を冷却する。
【００１１】
（工具を吹き払い清掃するための掃気）
図３に示す、定置ユニット４の圧縮空気入口１７は、半径方向平面内で分配され、使用時に切り替えられる連続的な圧縮空気を供給され、プルロッド３の少なくとも第３の孔１２ｃに接続されている。第３の孔１２ｃは、図で見て右側端部が密閉されている。工具を外すために、プルロッド３を左方へ変位させると、圧縮空気は、この場合は掃気だが、符号２３で示すように、スピンドル軸１内の１つ以上の通路を介してスピンドルの工具端部の方へ自動的に排出され、許容される形式で、工具円錐形部の接触面に吹き付けられ清掃する。プルロッド３を引き込んで工具を取り付けるさいには、圧縮空気流は、通路２３を密封する円錐形部とフランジとを有する工具により自動的に遮断される。
【００１２】
（スピンドル軸と、流体に支承される工具軸の回転子との冷却）
図５は、符号２４で略示された流体軸受により支承される工具スピンドルに適用された本発明を示している。原則として、この実施例は、玉軸受との関連で既に説明したことに対応するが、異なる点は、通路２０ｂがシリンダチャンバ１３に開いてはいず、例えば密閉されている点である。冷却水は、定置ユニット４の、半径方向平面内に分配された入口２５からプルロッド３の、図で見て右端が密閉された孔１２ｄへ導入され、これらの孔１２ｄをへて、同じように、スピンドル軸１の中心軸線を中心として分配された冷却通路２６へ送られる。冷却通路の出口端部には、通路内の目標流量レベルと、スピンドル軸１からの冷却水排出の目標レベルとが達せられるように、狭窄部２７が設けられている。この場合、流体軸受の使用により、スピンドルが、ハウジング３３内に閉じ込められた圧力下の大気、例えば連続供給される圧縮空気により取り囲まれている。つまり、圧力下の空気が、それにより連続的に、プルロッド３と定置ユニット４との間の間隙シール２９内へ連続的に導入される。このことは、間隙内の冷却水の漏れが、前記間隙に圧入されるのを防止し、その代わりに、定置ユニット４から上方へ逃がすために、出口２８に集められる。
【００１３】
同じように、圧力下の空気が間隙シールに供給され、スピンドル軸１周囲のハウジング３３内の空間が圧力下にあるため、左側の軸受２４を出た流体、または狭窄部２７を通過した冷却水が、前記間隙へて圧入されるのが防止される。流体は、阻止空気も一緒に空間３０内に集められ、同じくスピンドル内の固定子を冷却する複数通路３１を介して、スピンドルユニットから導出される。流体軸受の右側からの流体漏れは、軸受のどちらかの側の複数通路に集められ、ハウジング３３内の圧力により、複数管路（図示せず）を介してハウジング外へ、例えば通路３１との接続部をへて排出される。
【００１４】
（供給システム）
機能するための重要な手段として流体（液体、気体）を使用する既述のスピンドルの１つの課題は、高度に信頼性のある操作を達成し、かつ流体が、その目標流量および目標圧力で所期の機能を確実に果たす必要があることである。
モニタシステムや制御システムへの妨害発生時、またはスピンドルへの流体供給の不調時には、それによってスピンドル損傷が発生したり、スピンドル操作が危険になる前に、スピンドル軸を停止させることが必要である。
前記スピンドルの確実な機能は、各機能が果たされるように供給通路を介して流体供給を行うことで達せられる。該供給通路は、特に、例えばフレキシブルな接続部が要求される極めて敏感な区分にわたっては互いに独立している。
【００１５】
圧力モニタおよび流量モニタにより、異なる機能、すなわち各通路内の圧力や流量を連続的にモニタすることが可能なので、それらの値を限界値内におさえることができる。したがって、スピンドルが回転していない場合に、目標値が限界値内におさまらないことを指示器が示す場合、またはモニタユニットが機能しないことを指示器が示す場合には、スピンドルは始動できない。スピンドル作動時に影響値が限界値内にないことを、またはモニタユニットが機能していないことを、信号が示す場合には、スピンドルのスイッチが切られる。その場合に重要なことは、流体供給が停止する前に、スピンドルがそれ自体で停止できるように、非常システムが容易に使用可能であることである。
システム内に障害がある場合、極めて重要なことは、スピンドルを停止できること、したがって流体が制御されない仕方で広がって、障害を生じさせる恐れのある箇所から、該箇所の流体の能動的制御を停止することで、流体を除去できるようにすることである。
【００１６】
図８は、工具スピンドルに機能的に供給するための、本発明による供給ユニットＦを略示した図である。既述のように、工具スピンドルは、スピンドル軸１と、その玉軸受または流体軸受に加えて、間隙シールを含んでいる。
スプール９から工具スピンドルへの電流信号または光学信号の受信兼処理システム９Ｆは、図８の右側に示され、これらの信号によりプルロッド３の軸方向位置が検出される。
工具を冷却するには、圧力１０〜１４０バールの冷却流体が工具冷却システム５Ｆに供給される。該冷却システムは、流れ方向で見て、カットオフ弁５０１、逆止め弁５０２、圧力モニタ５０３から成っており、圧力モニタ５０３は、前記圧力が予め定めた限界値内にあるか否かを検出する。間隙シールを通過した、工具スピンドルへ供給された冷却流体は、排出され、矢印５０４の符号で示されている。
【００１７】
最低圧６バールの保護空気、つまり阻止空気は、入口７へ供給され、阻止空気回路７Ｆ内のカットオフ弁７０１に加えて、圧力モニタ７０２、逆止め弁７０３、蓄圧器７０４、調整器７０５を通過する。調整器７０５は、排出圧を目標圧に調整する。調整器７０５からの管路は、少なくとも２つの供給通路７０６に接続され、供給通路７０６は、互いに独立し、各通路が圧力モニタを有し、工具スピンドルの入口７に接続されている。圧力モニタ７０２は、回路７Ｆ内に正しい圧力が支配しているか否かをモニタする。蓄圧器７０４には、圧力６〜７バールで一定量の空気が蓄えられる。阻止空気が消失すると、その圧力降下が圧力モニタ７０２によって検知され、回路７Ｆ内の蓄圧器７０４は、工具スピンドル操作用のエネルギー供給の中止を命じる信号が発せられると同時に、自動的に接続される。蓄圧器７０４は、継続的に放出され、スピンドルの停止までの時間および停止後の時間の全時間にわたり、望ましくない箇所から流体を除去できる能力を有している。
【００１８】
スピンドルと回転子２２とを冷却するため、冷却流体は、例えば圧力６バールで回路１６Ｆに供給される。この回路は、流れ方向の順序で、回路内が十分な流量レベルか否かを検知する流量モニタ１６１、既述の説明による圧力モニタ１６２、逆止め弁１６３、蓄圧器１６４、調整器１６５に加えて、逆止め弁１６６を含み、更に２つの供給通路１６７に接続されるか、または冷却流体を供給している。該供給通路は、互いに独立し、各通路が圧力モニタを有し、かつ工具スピンドルの入口１４，１６に接続されている。蓄圧器１６４は、圧力６〜７バールの一定量の流体を蓄える。この蓄圧器１６４は、原則として、作用が回路７Ｆの蓄圧器７０４と等しく、したがってスピンドルが回転しているかぎり、スピンドルと回転子２２に冷却流体を供給する機能を有している。調整器１６５は、例えば６バールの目標圧に排出圧を調整する。冷却流体は、通路３３（図５も参照）を介してスピンドルから排出される。
【００１９】
図８の最も左側には、工具スピンドルの流体軸受２４へ流体供給するための供給システム２４Ｆが示されている。流体は、例えば圧力１００バールでシステムに供給され、圧力モニタ２４１、逆止め弁２４２、調整器２４３、好ましくは流量モニタ２４４、逆止め弁２４５をへて、少なくとも２つの供給通路２４６を通ってスピンドルへ導かれる。該供給通路は、互いに独立し、それぞれ圧力モニタ２４７を有している。各構成要素は、原則として、システム７Ｆと１６Ｆで説明した機能に相応する機能を有している。流量モニタ２４４の機能は、正しい流量の流体が通過しているか否かを検出することである。
【００２０】
液圧回路１４Ｆは、工具の着脱時にピストン１１の異なる側の圧力設定のため、液圧システムを調節するように構成されている。調整器１４１と逆止め弁１４１とが接続された分岐管路が、回路２４Ｆ内の蓄圧器２４３の後方かつ流量モニタ２４４の前方に備えられ、該流量モニタの後方で、該分岐管路は、多方弁、いわゆる４ポート２位置弁、交差−平行（ｃｒｏｓｓ−ｐａｒａｌｌｅｌ）弁１４３のいずれかに接続されている。調整器は、例えば圧力６０バールに調整される。圧縮液圧流体は、弁１４３をへて少なくとも２つの供給通路１４４を通過して排出される。該供給通路は、互いに独立し、圧力モニタを備えており、ピストン１１を右方へ（図で見て）変位させるために工具スピンドル内へ入口１４から導入され、工具が取り付けられる。この過程の間、弁１４３から工具スピンドルの入口１６へ接続される管路１４５は、圧力下にはないので、液圧流体を排出することができる。工具を除去するためには、弁１４３を転回し、圧力を接続部１４４から逃がし、管路１４５を加圧する。管路１４５が目標圧を有するか否かを検知するために、圧力モニタ１４６が管路内に配置されている。前記流体の戻り流は管路１４７を介して排出される。
【００２１】
逆止め弁５０２と圧力モニタ５０３との間で冷却システム５Ｆに接続される分岐管路７０７の部分は、調整器７０５の後方で逆止め弁７０８をへて阻止空気システム７Ｆからシステム５Ｆへ延在している。分岐管路７０７の他方の部分は、逆止め弁７０８をへて供給通路２４７の上流でシステム２４Ｆに接続されている。分岐管路７０７は、また逆止め弁７０９を介してシステム１４Ｆの弁１４３に接続され、かつ同じように逆止め弁７１０をへて逆止め弁１６６の下流でシステム１６Ｆに接続されている。
例えば機能不全がシステム５Ｆに発生し、該システム内の圧力が例えば４バールを下回り、この圧力が分岐管路７０７内を支配し、スピンドル軸が停止した場合、４バールの初期圧力を有するシステム７Ｆからの空気が、システム７Ｆからスピンドル軸の中心孔６へ流入し、冷却流体をスピンドル軸の影響部分から除去し、ある程度まで工具の冷却に寄与する。逆止め弁７０８は、当然、システム５Ｆ内の冷却流体が分岐管路７０７内へ圧入されるのを阻止する。
【００２２】
同じように、システム４Ｆ内の圧力が４バールを下回った場合、または別の故障が発生して、スピンドルが停止した場合、システム７Ｆからの空気が、逆止め弁７１０を開き、スピンドル内をその時点で支配する流体を強制排出し、ある程度まで工具の冷却に寄与する。
許容できない圧力降下時またはその他の故障時にも、同様のことが適用され、供給システム１４Ｆには、逆止め弁７０９と弁１４３を介して、かつまた／もしくは供給システム２４Ｆには、故障時、逆止め弁７０８ａを介して、システム７Ｆから圧縮空気が供給され、不適当な流体が除去される。
前記圧力モニタおよび流量モニタは、支配的な値が、意図する限界値外にある場合、信号を発し、スピンドル軸へのエネルギー供給を遮断する。
【００２３】
以上説明した本発明は、言うまでもなく工具スピンドルには別の構成も可能であるから、既述の設計だけに限定されるものではない。例えば、スピンドル軸１は、定置ユニット４内まで延在して、定置ユニット４により受容されてもよく、それにより間隙シールは、定置ユニット４とスピンドル軸１との間に設けられることになる。その場合には、液圧流体用の軸方向孔１２ａ，１２ｂを、プルロッド３内にではなく、スピンドル軸１内に設けることができる。
既述の供給システムに関連して具体的に述べた圧力は、適切なものだが、例として挙げたものに過ぎず、言うまでもなく異なるパラメータに応じて変更可能である。部品２４４〜２４７は、玉軸受を使用する場合には、用いられず、代わりに、システムには玉軸受の潤滑モニタが備えられる。
同じように、強調すべき点は、略示した玉軸受と流体軸受２，２４とは、それぞれ自体公知の軸支承機能を有している。それについての記述は、必要以上に説明および図面が煩雑になるので省略した。
【図面の簡単な説明】
【図１】  本発明による工具スピンドルの実施例を略示した図で、スピンドルは回転対称なので、半部を断面で示すにとどめてある。
【図２】  本発明による工具スピンドルの実施例を略示した図で、スピンドルは回転対称なので、半部を断面で示すにとどめてある。
【図３】  本発明による工具スピンドルの実施例を略示した図で、スピンドルは回転対称なので、半部を断面で示すにとどめてある。
【図４】  本発明による工具スピンドルの実施例を略示した図で、スピンドルは回転対称なので、半部を断面で示すにとどめてある。
【図５】  本発明の別の設計を示す断面図。
【図６】  図４のＶＩ−ＶＩ線およびＶＩＩ−ＶＩＩ線に沿ってスピンドル軸を截断して示す断面図。
【図７】  図４のＶＩ−ＶＩ線およびＶＩＩ−ＶＩＩ線に沿ってスピンドル軸を截断して示す断面図。
【図８】  本発明によるスピンドルに接続された供給ユニットを示す略示ブロック図。
【図１】
0004459451.tif 000002
【図２】
0004459451.tif 000003
【図３】
0004459451.tif 000004
【図４】
0004459451.tif 000005
【図６】
0004459451.tif 000006
【図７】
0004459451.tif 000007
【図５】
0004459451.tif 000008
【図８】
0004459451.tif 000009